(57)【要約】【課題】  簡素な構成で使用者が受信データを入手することができるようにする。【解決手段】  ファクシミリ回路が受信した受信データを、一旦、内部記憶装置にて記憶するとともに、認証済みの外部記憶装置が接続端子に直接的又は間接的に接続された場合に、内部記憶装置に記憶されている受信データを、外部記憶装置に既に記憶されている処理情報に基づいて、外部装置に書き込む、もしくは印刷する。これにより、簡素な構成で使用者に使用者の所望の方法によって処理された受信データを提供することができる。【選択図】  図３
2008167011.tif 000002
【特許請求の範囲】
【請求項１】
公衆回線を介してデータを送受信するファクシミリ回路と、
前記ファクシミリ回路によって受信された受信データを記憶することができる外部記憶装置を着脱可能な接続端子手段と、
前記ファクシミリ回路によって受信された受信データを、前記接続端子手段に接続された外部記憶装置に記憶された処理情報に基づいて処理する処理手段と、
を備えたことを特徴とするファクシミリ装置。
【請求項２】
前記接続端子手段に接続された外部記憶装置に記憶されている、少なくとも受信データの送信元を識別するための送信元情報を含む処理情報に基づいて、前記処理手段は、前記ファクシミリ回路によって受信された受信データを処理することを特徴とする請求項１に記載のファクシミリ装置。
【請求項３】
処理情報を、接続端子手段に接続された外部記憶装置に書き込む処理情報書込手段を備えたことを特徴とする請求項２に記載のファクシミリ装置。
【請求項４】
前記処理手段は、前記ファクシミリ回路によって受信された受信データを前記接続端子手段に接続された外部記憶装置に書き込む受信データ書込手段を含むことを特徴とする請求項２又は３に記載のファクシミリ装置。
【請求項５】
前記処理手段は、前記ファクシミリ回路によって受信された受信データを印刷出力可能な印刷出力手段を含むことを特徴とする請求項２〜４に記載のファクシミリ装置。
【請求項６】
前記接続端子手段に接続された外部記憶装置に記憶された処理情報には、
送信元情報に対応する受信データを前記外部記憶装置に書き込むか否かを示す第１の処理情報が含まれ、
前記受信データ書込手段は、前記第１の処理情報に基づいて、前記受信データを前記外部記憶装置に書き込むか否かを判断する第１の判断手段を有していることを特徴とする請求項４に記載のファクシミリ装置。
【請求項７】
前記接続端子手段に接続された外部記憶装置に記憶された処理情報には、
送信元情報に対応する受信データを印刷出力するか否かを示す第２の処理情報が含まれ、
前記印刷手段は、第２の処理情報に基づいて、前記受信データを印刷出力するか否かを判断する第２の判断手段を有していることを特徴とする請求項５又は６に記載のファクシミリ装置。
【請求項８】
外部記憶装置を識別するための識別情報を記憶登録する識別情報記憶手段と、前記接続端子手段に接続された外部記憶装置を識別可能な識別手段を備えたことを特徴とする請求項１〜７に記載のファクシミリ装置。
【請求項９】
前記接続端子手段に接続された外部記憶装置が、前記識別情報記憶手段に記憶登録されている外部記憶装置であるか否かを判定する登録判定手段を備え、
前記接続端子手段に接続された外部記憶装置が、前記登録判定手段により前記識別情報記憶手段に記憶登録されている外部記憶装置であると判定されたときに、前記受信データ書込手段は、前記受信データを前記外部記憶装置に記憶された処理情報に基づいて処理することを特徴とする請求項８に記載のファクシミリ装置。
【請求項１０】
前記識別情報記憶手段は、前記外部記憶装置に予め記憶されている個体識別情報を前記識別情報として記憶することを特徴とする請求項１〜１０に記載のファクシミリ装置。
【請求項１１】
前記接続端子手段に接続された外部記憶装置が登録されていることを示す登録情報を前記外部記憶装置に書き込む登録情報書込手段と、
前記接続端子手段に接続された外部記憶装置に、前記登録情報が記憶されているか否かを判定する登録情報判定手段とを備え、
前記受信データ書込手段は、前記登録情報判定手段により外部記憶装置に前記登録情報が記憶されていると判定されたときに、前記受信データを前記外部記憶装置に記憶された処理情報に基づいて処理することを特徴とする請求項１１に記載のファクシミリ装置。
【請求項１２】
前記処理情報は、受信データの送信元を識別するための送信元情報と異なる他の情報を有して構成されていることを特徴とする請求項３〜１２のいずれか１つに記載のファクシミリ装置。
【請求項１３】
前記ファクシミリ回路によって前記受信データが受信されたときに、その受信データを記憶する内部記憶装置を備え、
前記処理手段は、処理情報が記憶されている外部記憶装置が前記接続端子手段に接続されたときに、前記内部記憶装置に記憶保持されている受信データを、前記外部記憶装置に記憶されている前記処理情報に基づいて処理することを特徴とする請求項１〜１３に記載のファクシミリ装置。
【請求項１４】
公衆回線を介してデータを送受信するファクシミリ回路と、
データを記憶することができる外部記憶装置を着脱可能な接続端子手段と、を備えるファクシミリ装置の制御方法であって、
前記ファクシミリ回路によって受信された受信データは、前記接続端子手段に外部記憶装置が装着されたときに、この外部記憶装置に記憶された処理情報に基づいて処理されることを特徴とするファクシミリ装置の制御方法。
【請求項１５】
公衆回線を介してデータを送受信するファクシミリ回路、及びデータを記憶することができる外部記憶装置を着脱可能な接続端子手段を備えるファクシミリ装置の制御装置を作動させるための制御用プログラムであって、
前記ファクシミリ回路にて受信した受信データを、前記接続端子手段に外部記憶装置が装着されたときに、この外部記憶装置に記憶された情報に基づいて処理する受信データ処理手段として、
前記制御装置を機能させることを特徴とするファクシミリ装置の制御用プログラム。
【発明の詳細な説明】
【技術分野】
【０００１】
本発明は、画像や文字等からなるデータを送受信するファクシミリ装置に関するものである。
【背景技術】
【０００２】
従来のファクシミリ装置によれば、ファクシミリデータを受信すると直ちに記録紙に印刷するのが一般的である。すなわち、使用者はファクシミリデータを印刷された状態で入手可能であるのが一般的である。
【０００３】
しかし、ファクシミリデータの管理を容易にするために、受信データを印刷された状態だけではなく電子データとして受け取ることを望む等、受信されたファクシミリデータの処理方法に対する要望がある。
【０００４】
このような要望に対して、ファクシミリ装置に受信されたファクシミリデータの送信元ファクシミリ番号や件名に応じて、たとえばコンピュータに転送する、印刷する、などといった処理を行うファクシミリシステムが提案されている。（例えば、特許文献１を参照）。
【０００５】
特許文献１に記載のファクシミリ装置は、ＬＡＮ等のネットワーク回線を介してコンピュータやプリンタと接続可能に構成されている。このファクシミリ装置は、受信したファクシミリデータに特有の情報、例えば送信元のファクシミリ番号や件名等、を解析する機能を有している。また、このファクシミリ装置にはファクシミリデータに特有の情報と、処理方法（配信設定）とを対応させたテーブル（配信設定テーブル）が予め記憶されている。
【０００６】
ファクシミリデータが受信されると、このファクシミリデータに特有の情報と配信設定テーブルとが照らし合わされ、このファクシミリデータは配信設定テーブルに設定された配信設定に基づいて処理される。処理方法は使用者によって登録可能であるように構成されており、処理方法としては、印刷、転送、記憶等を選択することが可能である。つまり、特許文献１に記載のファクシミリ装置によれば、ファクシミリデータを送信元のファクシミリ番号や件名等に応じて使用者が予め指定した方法で処理して使用者に提供することが出来る。
【特許文献１】特開２００６−２９５５８３号公報
【発明の開示】
【発明が解決しようとする課題】
【０００７】
しかし、特許文献１に記載の発明では、ネットワーク回線を介してファクシミリ装置で受信した受信データをコンピュータやプリンタに送信しているので、使用者に、使用者が予め指定した方法で、すなわち、使用者の所望の処理方法で、処理された受信データを提供するためには、ネットワーク回線及びコンピュータを必要とする。
【０００８】
このため、使用者が受信データを入手するためのシステム（設備）全体が複雑、かつ、高価なものとなってしまうという問題がある。
本発明は、上記点に鑑み、簡素な構成で使用者に使用者が予め指定した処理方法で処理された受信データを提供することができるようにすることを目的とする。
【課題を解決するための手段】
【０００９】
本発明は、上記目的を達成するために、請求項１に記載の発明では、公衆回線を介してデータを送受信するファクシミリ回路と、データを記憶することができる外部記憶装置を着脱可能な接続端子手段と、を備え、ファクシミリ回路によって受信された受信データを、接続端子手段に接続された外部記憶装置に記憶された処理情報に基づいて処理する処理手段を備えたことを特徴とする。
【００１０】
これにより、請求項１に記載の発明では、使用者が接続端子に外部記憶装置を装着すると、受信データは外部記憶装置に記憶された処理情報に従って受信データを処理するので、簡素な構成によって、使用者に使用者の所望の処理方法によって処理されたデータを提供することができる。
【００１１】
請求項２に記載の発明では、外部記憶装置に記憶された情報には、少なくとも受信データの送信元を識別するための送信元情報を含む処理情報に基づいて、処理手段は、ファクシミリ回路によって受信された受信データを処理することを特徴とする。
【００１２】
これにより、請求項２に記載の発明では、少なくとも送信元情報に基づいて受信データが処理されるので、使用者の利便性を向上させることができる。
請求項３の発明では、処理情報を接続端子手段に接続された外部記憶装置に書き込む処理情報書込手段を備えたことを特徴とする。
【００１３】
これにより、請求項３に記載の発明では、ファクシミリ装置を用いて外部記憶装置に処理情報を書き込むことが出来る。よって、特別な設備等を要することなく、処理情報を外部記憶装置に書き込むことができるので、使用者の利便性を向上させることができる。
【００１４】
請求項４に記載の発明では、処理手段は、ファクシミリ回路によって受信された受信データを接続端子手段に接続された外部記憶装置に書き込む書込手段を含むことを特徴とする。
【００１５】
これにより、請求項４に記載の発明では、受信データは外部記憶装置に記憶された接続端子手段に装着された処理情報に従って外部記憶装置に書き込まれることが可能であるので、簡素な構成によって使用者に受信データを外部記憶装置に書き込まれた状態で提供することができる。
【００１６】
請求項５に記載の発明によれば、受信データは外部記憶装置に記憶された接続端子手段に装着された処理情報に従って印刷出力手段によって出力されることが可能であるので、簡素な構成によって使用者に受信データを印刷された状態で提供することができる。
【００１７】
請求項６に記載の発明では、接続端子手段に接続された外部記憶装置に記憶されている、受信データの送信元を識別するための送信元情報に対応された第１の処理情報を含む処理情報に基づいて、受信データ書込手段は、受信データを、外部記憶装置に書き込むか否かを判断する第１の判断手段を有していることを特徴とする。
【００１８】
これにより、請求項６に記載の発明では、受信データを、外部記憶装置に書き込むか否かは第１の処理情報に基づいて判断される。すなわち、受信データを、外部記憶装置に書き込むか否かを選択可能に構成されているので使用者の利便性を向上させることができる。
【００１９】
請求項７に記載の発明では、接続端子手段に接続された外部記憶装置に記憶されている、受信データの送信元を識別するための送信元情報に対応された第２の処理情報を含む処理情報に基づいて、印刷手段は、受信データを、印刷出力するか否かを判断する第２の判断手段を有していることを特徴とする。
【００２０】
これにより、請求項７に記載の発明では、受信データを、印刷出力するか否かは第２の処理情報に基づいて判断される。すなわち、受信データを、印刷出力するか否かを選択可能に構成されているので使用者の利便性を向上させることができる。
【００２１】
請求項８に記載の発明では、外部記憶装置を識別するための識別情報を記憶登録する識別情報記憶手段と、外部記憶装置を識別可能な識別手段を備えたことを特徴とする。
これにより、請求項８に記載の発明では、識別手段によって外部記憶装置を識別することが出来るので、ファクシミリ装置の接続端子手段に複数の外部記憶装置が装着された場合であっても、各外部記憶装置を識別することができる。すなわち、受信データが各外部記憶装置に記憶された情報に基づいて各外部記憶装置に書き込まれる。よって、複数の使用者による利用や、用途に応じて外部記憶装置を使い分ることが可能であり、使用者の利便性を向上させることができる。
【００２２】
請求項９に記載の発明では、接続端子手段に接続された外部記憶装置が、識別情報記憶手段に記憶登録されている外部記憶装置であるか否かを判定する登録判定手段を備え、接続端子手段に接続された外部記憶装置が、登録判定手段により識別情報記憶手段に記憶登録されている外部記憶装置であると判定されたときに、受信データ書込手段は、受信データを外部記憶装置に記憶された処理情報に基づいて処理することを特徴とする。
【００２３】
これにより、請求項９に記載の発明では、登録判定手段によって識別情報記憶手段に識別情報が記憶登録されている外部記憶装置であるか否かを判定し、記憶登録されている外部記憶装置であると判定されたときに受信データを外部記憶装置に記憶されている処理情報に基づいて処理することが可能である。よって、記憶登録されていない外部記憶装置に受信データが書き込まれてしまうことを未然に防止できるので、受信データが第三者に漏れてしまうことを抑制でき、情報の安全性を向上させることができる。
【００２４】
なお、識別情報記憶手段は、請求項１０に記載の発明のごとく、外部記憶装置に予め記憶されている個体識別情報を識別情報として記憶するように構成することが望ましい。
請求項１１に記載の発明では、接続端子手段に接続された外部記憶装置が登録されていることを示す登録情報を外部記憶装置に書き込む登録情報書込手段と、接続端子手段に接続された外部記憶装置に、登録情報が記憶されているか否かを判定する登録情報判定手段とを備え、受信データ書込手段は、登録情報判定手段により外部記憶装置に登録情報が記憶されていると判定されたときに、受信データを外部記憶装置に記憶された処理情報に基づいて処理することを特徴とする。
【００２５】
これにより、請求項１１に記載の発明においても、登録されていない外部記憶装置に受信データが書き込まれてしまうことを未然に防止できるので、受信データが第三者に漏れてしまうことを抑制でき、情報の安全性を向上させることができる。なお、請求項９と請求項１１とを組み合わせた発明においては、情報の安全性を更に向上させることができる。
【００２６】
なお、請求項１２に記載の発明では、処理情報は、送信元情報と異なる他の情報を有して構成されていることを特徴とするものである。
また、請求項１３に記載の発明では、ファクシミリ回路によって受信データが受信されたときに、その受信データを記憶する内部記憶装置を備え、処理手段は、処理情報が記憶されている外部記憶装置が接続端子手段に接続されたときに、内部記憶装置に記憶保持されている受信データを、外部記憶装置に記憶されている処理情報に基づいて処理することを特徴としている。
【００２７】
請求項１４に記載の発明では、公衆回線を介してデータを送受信するファクシミリ回路と、データを記憶することができる外部記憶装置を着脱可能な接続端子手段と、を備えるファクシミリ装置の制御方法であって、ファクシミリ回路によって受信された受信データは、接続端子手段に外部記憶装置が装着されたときに、この外部記憶装置に記憶された処理情報に基づいて処理されることを特徴とする。
【００２８】
これにより、請求項１４に記載の発明も、請求項１に記載の発明と同様に、使用者が接続端子手段に外部記憶装置を装着すると、外部記憶装置に記憶された処理情報に基づいて、受信データが処理されるので、使用者は、ネットワーク回線及びコンピュータを用いることなく、容易に受信データを入手することができる。
【００２９】
請求項１５に記載の発明では、公衆回線を介してデータを送受信するファクシミリ回路、及びデータを記憶することができる外部記憶装置を着脱可能な接続端子手段を備えるファクシミリ装置の制御装置を作動させるための制御用プログラムであって、
ファクシミリ回路にて受信した受信データを、接続端子手段に外部記憶装置が装着されたときに、この外部記憶装置に記憶された情報に基づいて処理する受信データ処理手段として、制御装置を機能させることを特徴とする。
【００３０】
これにより、請求項１５に記載の発明も、請求項１に記載の発明と同様に、使用者が接続端子手段に外部記憶装置を装着すると、外部記憶装置に記憶された処理情報に基づいて、受信データが処理されるので、使用者は、ネートワーク回線及びコンピュータを用いることなく、容易に受信データを入手することができる。
【発明の効果】
【００３１】
本発明では、接続端子手段に外部記憶装置が装着されると、外部記憶装置に記憶された処理情報に基づいて、受信データが処理される。すなわち、ネットワーク回線及びコンピュータを用いることなく、簡素な構成で使用者に使用者が予め指定した処理方法で処理された受信データを提供することができる。
【００３２】
また、本発明では、少なくとも送信元情報に基づいて受信データが外部記憶装置に書き込まれるので、使用者の利便性を向上させることができる。
【発明を実施するための最良の形態】
【００３３】
図１は本実施形態に係るファクシミリ装置１の概略構成を示すブロック図であり、以下に本発明の実施形態を図面と共に説明する。
（第１実施形態）
１．ファクシミリ装置１の概略構成
図１中、ファクシミリ回路（ＦＡＸ回路）３は、公衆回線（図示せず。）を介して文字や画像等のデータを送受信するデータ送受信手段である。操作パネル５は、使用者がファクシミリ装置１を操作設定するための操作設定入力手段である。
【００３４】
プリンタ部７は、ファクシミリ回路３によって受信された受信データ、後述する内部記憶装置１１に記憶されている受信データ、又は後述するスキャナ部９により読み取られたデータを記録用紙等の記録媒体に印刷するための画像形成手段（印刷出力手段）であり、スキャナ部９は、記録媒体に記載されている文字や画像を読み取る画像読取手段である。
【００３５】
そして、ファクシミリ装置１によって記録媒体に記載されている文字や画像を送信する際には、スキャナ部９にて画像等が読み取られた後、その読み取られたデータがファクシミリ回路３を経由して送信先に送信される。
【００３６】
内部記憶装置１１は受信データ等のデータを記憶保持する内部記憶手段であり、本実施形態では、フラッシュメモリ等の不揮発性半導体記憶装置にて内部記憶装置１１が構成されている。接続端子１３は、データを記憶することができる外部記憶装置２０が着脱可能に接続される接続端子手段であり、本実施形態では、接続端子１３として、ＵＳＢ（Ｕｎｉｖｅｒｓａｌ  Ｓｅｒｉａｌ  Ｂｕｓ）規格の接続端子（インターフェース）を採用している。なお、接続端子１３は、外部記憶装置２０とファクシミリ装置とを接続可能なインターフェースであれば何でもよい。
【００３７】
また、外部記憶装置２０も、接続端子１３に接続可能なインタフェースを有する記憶手段であれば何でもよく、具体的には、フラッシュメモリ等の不揮発性半導体記憶装置にて構成された、いわゆるＵＳＢメモリやＳＤメモリ（登録商標）、又はＨＤＤ等の磁気記憶装置等が外部記憶装置２０として考えられる。
【００３８】
また、ファクシミリ回路３、操作パネル５、プリンタ部７、スキャナ部９、内部記憶装置１１及び接続端子１３等は、制御回路１５に接続されており、この制御回路１５は、ＣＰＵ、ＲＯＭ及びＲＡＭ等からなるマイクロコンピュータにて構成されている。なお、制御回路１５は、ＲＯＭ等の記憶装置に予め記憶されているプログラム（図２〜図４等）に従ってファクシミリ回路３等の作動を制御する。
【００３９】
そして、ファクシミリ回路３、操作パネル５、プリンタ部７、スキャナ部９、内部記憶装置１１、接続端子１３及び制御回路１５等が、筐体（図示せず。）内に収納されてファクシミリ装置１が構成されている。
【００４０】
なお、図１では、複数個の外部記憶装置２０が集線装置（ハブ）２１を介して間接的に接続端子１３に接続されているが、これは、本実施形態に係るファクシミリ装置１では、接続端子１３が１個のみ設けられているからである。
【００４１】
したがって、接続端子１３が予め複数個設けられている場合には、集線装置２１を介さずに、複数個の外部記憶装置２０を直接的に接続端子１３に接続してもよいことは勿論である。
【００４２】
２．ファクシミリ装置１の特徴的作動
本実施形態に係るファクシミリ装置１では、ファクシミリ回路３が受信した受信データは、一旦、内部記憶装置１１に書き込まれる。そして、認証済みの外部記憶装置２０が接続端子１３に直接的又は間接的に接続された場合に、内部記憶装置１１に記憶されている受信データが、外部記憶装置２０に記憶されている処理情報に基づいて処理されることを特徴としている。以下、その詳細を図２〜図５に基づいて説明する。
【００４３】
なお、図２は外部記憶装置２０をファクシミリ装置１に対して認証（記憶登録）させるための制御フローを示すチャートであり、図３はファクシミリ装置１（ファクシミリ回路３）がファクシミリデータを受信したときに実行される制御フローを示すチャートであり、図４は、外部記憶装置２０が接続端子１３に直接的又は間接的に接続されたとき（以下、単に「外部記憶装置２０が接続端子１３に接続されたとき」という。）に実行される制御フローを示すチャートである。
【００４４】
図５（ａ）はファクシミリ装置１（本実施形態では、内部記憶装置１１）に記憶されている認証済み外部記憶装置テーブルを示す概念図であり、図５（ｂ）は外部記憶装置２０に記憶書込される処理情報テーブル（処理情報）を示す概念図であり、図５（ｃ）は外部記憶装置２０に記憶されている個体識別情報及び処理情報を示す概念図である。
【００４５】
ここで、個体識別情報とは、外部記憶装置２０の製造時に製造者によって予め書き込まれた情報であって、例えば製造者番号、製造番号やシリアル番号等の情報がある。
また、処理情報とは、少なくとも受信データの送信元を識別するための送信元情報（例えば、発信元ファクシミリ番号）を含む情報であり、後述されるように、使用者によって予め設定されるものである。本実施形態では、処理情報は、送信元情報と、この送信元情報に対応された、印刷情報（第２の処理情報）及びフォルダ情報（第１の処理情報）とによって構成されている。
【００４６】
また、処理情報テーブル（処理情報）とは処理情報に関するデータベースであり、認証済み外部記憶装置テーブルとは個体識別情報が記憶されたデータベースである。
２．１．外部記憶装置２０の認証制御（図２参照）
外部記憶装置２０の認証制御とは、外部記憶装置２０をファクシミリ装置１に対して認証（記憶登録）させるための制御であり、この外部記憶装置２０の認証制御は、使用者が操作パネル５を操作することにより、外部記憶装置の認証モード（以下、認証モードという。）が選択されたときに実行される。
【００４７】
そして、認証モードが選択されて図２に示す制御フローが起動されると、先ず、認証モードを選択した使用者が、外部記憶装置２０をファクシミリ装置１に対して認証（記憶登録）することができる使用者（以下、このような使用者を「管理者等」という。）であるか否かが判定される（Ｓ１０）。
【００４８】
本実施形態では、まず、使用者に対してパスワード等の鍵情報の入力が求められる（Ｓ１０）。ここで、予め設定されているパスワードが操作パネル５を介して入力されたときに、認証モードを選択した使用者が管理者等であると判定される。パスワード以外の情報が操作パネル５を介して入力されたときには、その使用者は管理者等ではないと判定される。
【００４９】
そして、認証モードを選択した使用者が管理者等であると判定された場合には（Ｓ１０：ＹＥＳ）、接続端子１３に外部記憶装置２０接続されているか否かが判定される（Ｓ２０）。接続端子１３に外部記憶装置２０接続されていると判定された場合には（Ｓ２０：ＹＥＳ）、外部記憶装置２０に予め記憶されている個体識別情報に基づいて、現在、接続端子１３に接続されている外部記憶装置２０が認証済みの外部記憶装置２０であるか否かが判定される（Ｓ２０）。
【００５０】
このとき、制御回路１５は、現在、接続端子１３に接続されている外部記憶装置２０に記憶されている個体識別情報（以下、この個体識別情報をメモリ個体識別情報という。）が、認証済み外部記憶装置テーブル（図５（ａ）参照）に記憶登録されている個体識別情報（以下、この個体識別情報をテーブル個体識別情報という。）と一致したときに、その外部記憶装置２０が認証済みの外部記憶装置２０であると判定する。メモリ個体識別情報とテーブル個体識別情報とが不一致のときには、その外部記憶装置２０が認証済みの外部記憶装置２０でないと判定する。
【００５１】
なお、認証モードを選択した使用者が管理者等でないと判定された場合（Ｓ１０：ＮＯ）、又は接続端子１３に外部記憶装置２０接続されていないと判定された場合には（Ｓ２０：ＮＯ）、その旨が使用者に対して通知された後、本制御フローが終了する。
【００５２】
そして、Ｓ３０にて、接続端子１３に接続されている外部記憶装置２０が認証済みの外部記憶装置２０でないと判定された場合には（Ｓ３０：ＮＯ）、「現在、接続されている外部記憶装置２０を、このファクシミリ装置１に対して認証（記憶登録）させるか否か」が使用者に対して問い合わせられる（Ｓ２５）。
【００５３】
次に「現在、接続されている外部記憶装置２０を、このファクシミリ装置１に対して認証（記憶登録）させる」旨の入力が操作パネル５を介して使用者よってされた場合には（Ｓ２５：ＹＥＳ）、現在、接続端子１３に接続されている外部記憶装置２０の個体識別情報が認証済み外部記憶装置テーブルに追加される（書き込まれる：Ｓ５０）。そして、処理情報テーブルが、現在接続されている外部記憶装置２０に書き込まれ、使用者によって処理情報が入力（記憶設定）された後（Ｓ３５）、本制御フローが終了する。
【００５４】
なお、「現在、接続されている外部記憶装置２０を、このファクシミリ装置１に対して認証（記憶登録）させない」旨の入力が操作パネル５を介して使用者によってされた場合には（Ｓ２５：ＮＯ）、その時点で本制御フローが終了する。
【００５５】
また、Ｓ２０にて、接続端子１３に接続されている外部記憶装置２０が認証済みの外部記憶装置２０であると判定された場合には（Ｓ３０：ＹＥＳ）、「現在、接続されている外部記憶装置２０の認証（記憶登録）を解除（抹消）させるか否か」が使用者に対して問い合わせられる（Ｓ４０）。
【００５６】
そして、「現在、接続されている外部記憶装置２０の認証（記憶登録）を解除（抹消）させる」旨の入力が操作パネル５を介して使用者よってされた場合には（Ｓ４０：ＹＥＳ）、現在、接続端子１３に接続されている外部記憶装置２０の個体識別情報が認証済み外部記憶装置テーブルから抹消されて認証が解除された後（Ｓ４５）、本制御フローが終了する。
【００５７】
一方、「現在、接続されている外部記憶装置２０の認証（記憶登録）を解除（抹消）させない」旨の入力が操作パネル５を介して使用者よってされた場合には（Ｓ４０：ＮＯ）、処理情報が再び記憶設定された後（Ｓ３５）、本制御フローが終了する。
【００５８】
本実施形態に係るファクシミリ装置１では、処理情報の記憶設定（Ｓ３５）のステップにおいて、使用者は送信元のファックス番号及びこの送信元情報に対応された印刷情報及びフォルダ情報を設定することができる。詳細には、この送信元情報に対応された受信データを印刷出力するか否か（印刷情報）、外部記憶装置２０内のフォルダＡに書き込むか否か（フォルダ情報）、及び外部記憶装置２０内のフォルダＢに書き込むか否か（フォルダ情報）を選択設定することができる（図５（ｂ）参照）。このとき、全て否を選択することも可能であり、その逆も可能である。設定された処理情報は処理情報テーブルに記憶される。
【００５９】
２．２．ファクシミリデータ受信時の作動（図３参照）
図３に示す制御フローは、ファクシミリ装置１の起動スイッチ（電源スイッチ）が投入されたときに制御回路１５にて実行されるものである。
【００６０】
そして、この制御フローが起動すると、先ず、ファクシミリデータがファクシミリ回路３にて受信されたか否かが判定され（Ｓ１００）、ファクシミリデータが受信されたと判定された場合には（Ｓ１００：ＹＥＳ）、その受信されたファクシミリデータ（以下、受信データという。）が内部記憶装置１１に書き込まれる（Ｓ１１０）。
【００６１】
なお、本実施形態に係るファクシミリ装置１では、内部記憶装置１１の記憶可能残容量が少なく、受信データを内部記憶装置１１に記憶することができないときには、原則として、受信データが内部記憶装置１１に書き込まれることなく記録媒体に印刷される。しかし、記録媒体が無く印刷を行うことができないときには、ファクシミリデータの送信元に対して、「現在、ファクシミリデータを受信することができない」旨が自動的に通知される。
【００６２】
因みに、内部記憶装置１１に記憶されている受信データは、本実施形態では、書き込まれた時から所定時間が経過した古い受信データから順次自動的に削除されていく。
そして、受信データが内部記憶装置１１に書き込まれると（Ｓ１１０）、認証済みの外部記憶装置２０が接続端子１３に接続されているか否かが判定される（Ｓ１２０）。認証済みの外部記憶装置２０が接続端子１３に接続されていないと判定された場合には（Ｓ１２０：ＮＯ）、再び、ファクシミリデータがファクシミリ回路３にて受信されたか否かが判定される（Ｓ１００）。すなわち、ファクシミリ装置１は待機状態となる。
【００６３】
一方、認証済みの外部記憶装置２０が接続端子１３に接続されていると判定された場合には（Ｓ１２０：ＹＥＳ）、内部記憶装置１１に記憶されている受信データは接続されている外部記憶装置２０に記憶されている処理情報に基づいて、すなわち処理情報テーブルで選択された方法によって処理される（以下、単に「外部記憶装置２０の処理情報に基づいて処理される」という：Ｓ１３０〜Ｓ１５０）。
【００６４】
処理情報テーブル（処理情報）には、前述されたように、発信元情報（発信元ファクシミリ番号）と、この発信元情報に対応された受信データの処理方法を示す情報が記憶されている（図５（ｂ）参照）。
【００６５】
まず、制御回路１５は、内部記憶装置１１に記憶されている受信データのうち処理情報テーブルに記憶されている発信元情報（発信元ファクシミリ番号）に係る受信データを選択し、外部記憶装置２０に書き込む。このとき、処理情報テーブルにおいて、フォルダＡが選択されている場合には、受信データは外部記憶装置２０のフォルダＡに、フォルダＢが選択されている場合には受信データは外部記憶装置２０のフォルダＢに、書き込まれる（Ｓ１３０）。
【００６６】
次に、処理情報テーブル（処理情報）に基づいて、内部記憶装置１１に記憶されている受信データが印刷すべき受信データであるか否かが判定される（Ｓ１４０）。処理情報テーブルにおいて、印刷すると選択されている場合には（Ｓ１４０：ＹＥＳ）、その受信データが印刷される（Ｓ１５０）。一方、印刷が選択されていない場合には（Ｓ１４０：ＮＯ）、その受信データは印刷されず次のステップに移行する。
【００６７】
次のステップでは、他の外部記憶装置２０が接続されているか否かが判定される（Ｓ１６０）。他の外部記憶装置２０が接続されていると判定された場合には（Ｓ１６０：ＹＥＳ）、再び、Ｓ１１０が実行される。一方、他の外部記憶装置２０が接続されていないと判定された場合には（Ｓ１６０：ＮＯ）、本制御フローは終了する。
【００６８】
２．３．外部記憶装置が接続端子に接続されているときの制御（図４参照）
図４に示す制御フローは、図３に示す制御フローと同様に、ファクシミリ装置１の起動スイッチが投入されたときに制御回路１５にて実行されるものである。なお、図４に示す制御フローと図３に示す制御フローとは、互いに独立して並列的に作動するが、ファクシミリデータが受信されたときには、図３に示す制御フローが図４に示す制御フローに対して優先して実行される。
【００６９】
図４に示す制御フローが起動されると、先ず、認証済みの外部記憶装置２０が接続端子１３に接続されているか否かが判定される（Ｓ２００）。認証済みの外部記憶装置２０が接続端子１３に接続されていないと判定された場合には（Ｓ２００：ＮＯ）、再び、認証済みの外部記憶装置２０が接続端子１３に接続されているか否かが判定され（Ｓ２００）、待機状態となる。
【００７０】
一方、認証済みの外部記憶装置２０が接続端子１３に接続されていると判定された場合には（Ｓ２００：ＹＥＳ）、内部記憶装置１１に、この外部記憶装置２０の処理情報に基づいて未だ処理されていない受信データが存在するか否かが判定される（Ｓ２１０）。内部記憶装置１１内に未だ処理されていない受信データが存在すると判定された場合には（Ｓ２１０：ＹＥＳ）、該当する受信データは、Ｓ１３０〜Ｓ１５０と同様に、外部記憶装置２０の処理情報に基づいて処理される（Ｓ２２０）。
【００７１】
因みに、本実施形態では、外部記憶装置２０が接続端子１３に接続され、受信データがこの外部記憶装置２０の処理情報に基づいて処理されたときに、この受信データが処理されたことを意味するフラグが内部記憶装置１１に書き込まれる。フラグの有無によって、この外部記憶装置２０の処理情報に基づいて未だ処理されていない受信データが内部記憶装置１１内に存在するか否かが判定される。
【００７２】
また、この外部記憶装置２０の処理情報に基づいて未だ処理されていない受信データは内部記憶装置１１内に存在しないと判定された場合には（Ｓ２１０：ＮＯ）、他の認証済みの外部記憶装置２０が接続端子１３に接続されているか否かが判定され（Ｓ２３０）、他の認証済みの外部記憶装置２０が接続端子１３に接続されていると判定された場合には（Ｓ２３０：ＹＥＳ）、再びＳ２１０が実行される。
【００７３】
一方、他の認証済みの外部記憶装置２０が接続端子１３に接続されていないと判定された場合には（Ｓ２３０：ＮＯ）、再び、認証済みの外部記憶装置２０が接続端子１３に接続されているか否かが判定され（Ｓ２００）、待機状態となる。
【００７４】
３．本実施形態に係るファクシミリ装置１の特徴
本実施形態では、図３又は図４に示されるように、接続端子１３に外部記憶装置２０が装着されると、受信データは使用者によって予め設定された処理情報に基づいて、処理される。詳細には、受信データはその装着された外部記憶装置２０の処理情報に基づいて、この外部記憶装置２０に書き込まれたり、印刷出力される。したがって、使用者は、ネットワーク回線及びコンピュータを用いることなく、容易に所望の処理方法によって処理された受信データを入手することができる。
【００７５】
また、本実施形態では、接続端子１３に接続された外部記憶装置２０に記憶されている処理情報に基づいて受信データが選択されながら、外部記憶装置２０に書き込まれていくので、使用者の利便性を向上させることができる。
【００７６】
また、本実施形態では、認証済み外部記憶装置テーブルに記憶されている個体識別情報に基づいて、記憶登録されている外部記憶装置２０であると判定されたときに、受信データを外部記憶装置２０に書き込むので、記憶登録されていない外部記憶装置２０に受信データが書き込まれてしまうことを未然に防止できる。したがって、受信データが第三者に漏れてしまうことを抑制できるので、情報の安全性を向上させることができる。
【００７７】
４．発明特定事項と実施形態との対応関係
本実施形態では、接続端子１３が特許請求の範囲に記載された接続端子手段に相当し、Ｓ１２０及びＳ２００が特許請求の範囲に記載された登録判定手段に相当し、Ｓ１３０及びＳ２２０が特許請求の範囲に記載された受信データ書込手段に相当し、Ｓ３０が特許請求の範囲に記載された識別手段及び登録判定手段に相当し、Ｓ１３０〜Ｓ１５０が特許請求の範囲に記載された処理手段に相当し、Ｓ３５が特許請求の範囲に記載された処理情報書き込み手段に相当し、する。
【００７８】
（第２実施形態）
第１実施形態では、外部記憶装置２０をファクシミリ装置１に対して認証（記憶登録）させる際に、外部記憶装置２０の個体識別情報をファクシミリ装置１（認証済み外部記憶装置テーブル）に記憶するのみであったが、本実施形態は、外部記憶装置２０を認証する際に、外部記憶装置２０の個体識別情報をファクシミリ装置１（認証済み外部記憶装置テーブル）に記憶するとともに、その外部記憶装置２０が登録されたことを示す登録情報（例えば、数字や文字等から構成された鍵情報等）を外部記憶装置２０に書き込むものである。
【００７９】
そして、認証済みの外部記憶装置２０であるか否かを判定する際には、制御回路１５は、接続端子１３に接続されている外部記憶装置２０に記憶されている個体識別情報と、認証済み外部記憶装置テーブルに記憶登録されている個体識別情報とが一致し、かつ、その外部記憶装置２０に登録情報と一致する情報が記憶されているときに、認証済みの外部記憶装置２０であると判定する。なお、その他の事項は、第１実施形態と同じである。
【００８０】
具体的には、図２のＳ３０において、制御回路１５は、図６（ａ）に示すように、外部記憶装置２０の個体識別情報をファクシミリ装置１（認証済み外部記憶装置テーブル）に記憶するとともに（Ｓ３０Ａ）、登録情報をその外部記憶装置２０に書き込む（Ｓ３０Ｂ）。
【００８１】
また、図３のＳ１２０及び図４のＳ２００において、制御回路１５は、図６（ｂ）に示すように、外部記憶装置２０に予め記憶されている個体識別情報とファクシミリ装置１（認証済み外部記憶装置テーブル）に記憶登録されている個体識別情報とを比較するとともに（Ｓ１２０Ａ、Ｓ２００Ａ）、外部記憶装置２０に登録情報が記憶されているか否かを判定する（Ｓ１２０Ｂ、Ｓ２００Ｂ）。
【００８２】
なお、図６（ａ）は、本実施形態におけるＳ３０の詳細を示す制御フローを示す図であり、図６（ｂ）は、本実施形態におけるＳ１２０及びＳ２００の詳細を示す制御フローを示す図である。
【００８３】
以上により、本実施形態では、登録されていない外部記憶装置２０に受信データが書き込まれてしまうことを未然に防止できるので、受信データが第三者に漏れてしまうことを抑制でき、情報の安全性を更に向上させることができる。
【００８４】
因みに、本実施形態では、Ｓ３０Ａが特許請求の範囲に記載された登録情報書込手段に相当し、Ｓ１２０Ｂ、Ｓ２００Ｂが特許請求の範囲に記載された登録情報判定手段に相当する。
【００８５】
（その他の実施形態）
上述の実施形態では、外部記憶装置２０が接続端子１３に接続されていないとき、又は接続端子１３に接続されている外部記憶装置２０に処理情報が記憶されていないときには、ファクシミリ装置１は、受信データを内部記憶装置１１に記憶するのみであったが（図３参照）、本発明はこれに限定されるものではない。例えば、外部記憶装置２０が接続端子１３に接続されていないとき又は接続端子１３に接続されている外部記憶装置２０に処理情報が記憶されていないときにおいてファクシミリデータを受信した場合に、その受信データを印刷する印刷手段を設けてもよい。
【００８６】
また、上述の実施形態では、受信データを、印刷出力するか否か、外部記憶装置２０のフォルダＡに書き込むか否か、外部記憶装置２０のフォルダＢに書き込むか否か、を示す処理情報を、外部記憶装置２０に記憶させて、この処理情報に基づいて受信データを処理した。しかし、本発明はこれに限定されるものではない。
【００８７】
たとえば、処理情報として転送先のファクシミリ番号を外部記憶装置２０に記憶させるようにしてもよい。また、午前フォルダと午後フォルダといったように、受信データが受信された時間に基づいて、受信データが異なるフォルダに書き込まれるようにしてもよい。
【００８８】
また、上述の実施形態では、発信元情報に加えて、発信元情報に対応された印刷情報及びフォルダ情報も処理情報に含まれていたが、処理情報は、受信データを選択するための情報であるので、本発明はこれに限定されるものではない。
【００８９】
また、上述の実施形態では、フラッシュメモリ等の不揮発性半導体記憶装置にて内部記憶装置１１が構成されていたが、本発明はこれに限定されるものではなく、例えば磁気記憶装置にて内部記憶装置１１を構成してもよい。
【００９０】
また、上述の実施形態では、外部記憶装置２０が接続端子１３に接続され、この外部記憶装置２０に記憶された処理情報に基づいて受信データが処理されたときに、この受信データが処理されたことを意味するフラグが内部記憶装置１１に書き込まれ、このフラグの有無によって、内部記憶装置１１内に未だ処理されていない受信データが存在するか否かが判定されていたが、本発明はこれに限定されるものではない。
【００９１】
たとえば、上記フラグのかわりに、外部記憶装置２０が接続端子１３に接続され、この外部記憶装置２０に記憶された処理情報に基づいて受信データが処理されたときの時刻データと、外部記憶装置２０の個体識別情報と、によって構成される接続情報が内部記憶装置１１に書き込まれるようにしてもよい。時刻データは、制御回路１５に接続された時計回路（図示せず。）から得るようにすればよい。
【００９２】
また、この場合、内部記憶装置１１に、ファクシミリ装置１に登録された全ての外部記憶装置２０の接続情報が記憶されたときに、もっとも古い接続情報に含まれる時刻以前に内部記憶装置１１に書き込まれた受信データ及び内部記憶装置１１に記憶された接続情報が消去されるように構成されてもよい。このように構成されることによって、不要となった受信データが内部記憶装置１１に記憶され続けることが防止される。すなわち、内部記憶装置１１の記憶可能残容量が少なくなることが防止される。
【００９３】
また、本発明は、特許請求の範囲に記載された発明の趣旨に合致するものであればよく、上述の実施形態に限定されるものではない。
【図面の簡単な説明】
【００９４】
【図１】本発明の実施形態に係るファクシミリ装置１の概略構成を示すブロック図である。
【図２】本発明の実施形態に係る外部記憶装置２０をファクシミリ装置１に対して認証（記憶登録）させるためのフローチャートである。
【図３】本発明の実施形態に係るファクシミリ装置１が送信されてきたファクシミリデータを受信したときに実行されるフローチャートである。
【図４】本発明の実施形態に係る外部記憶装置２０が接続端子１３に直接的又は間接的に接続されたときに実行されるフローチャートである。
【図５】（ａ）はファクシミリ装置１に記憶されている認証済み外部記憶装置テーブルを示す概念図であり、（ｂ）は外部記憶装置２０に記憶書込される処理情報テーブルを示す概念図であり、（ｃ）は外部記憶装置２０に記憶されている個体識別情報及び処理情報等を示す概念図である。
【図６】（ａ）は、第２実施形態におけるＳ３０の詳細を示す制御フローを示す図であり、（ｂ）は、第２実施形態におけるＳ１２０及びＳ２００の詳細を示す制御フローを示す図である。
【符号の説明】
【００９５】
１…ファクシミリ装置、３…ファクシミリ回路、５…操作パネル、７…プリンタ部、
９…スキャナ部、１１…内部記憶装置、１３…接続端子、１５…制御回路、
２０…外部記憶装置、２１…集線装置。
【図１】
2008167011.tif 000003
【図２】
2008167011.tif 000004
【図３】
2008167011.tif 000005
【図４】
2008167011.tif 000006
【図５】
2008167011.tif 000007
【図６】
2008167011.tif 000008